(57)【要約】【課題】複数列のクロック信号を並列駆動する場合にも、ハーネスからの電磁輻射を増幅させることのない負荷駆動装置。【解決手段】互いに異なる基本周波数を有する複数のスペクトラム拡散クロックジェネレータと、各スペクトラム拡散ジェネレータから出力されたクロック信号をそれぞれ転送する複数のシリアルクロック線と、前記各シリアルクロック線に対応し、各クロック信号に同期したデータ信号を転送する複数のデータ信号線と、転送された各データ信号をラッチして直並列変換し、変換によって得られた並列信号を用いて各信号に対応する負荷を駆動する駆動回路と、所定のタイミングでデータ信号をラッチさせるためのラッチ信号を提供するラッチ信号発生回路とを備え、各スペクトラム拡散クロックジェネレータの基本周波数が、クロックからの電磁輻射のピーク周波数を分散させるように選択されることを特徴とする負荷駆動装置を用いる。【選択図】図５
2006106331.tif 000002
【特許請求の範囲】
【請求項１】
互いに異なる基本周波数を有する複数のスペクトラム拡散クロックジェネレータと、
各スペクトラム拡散ジェネレータから出力されたクロック信号をそれぞれ転送する複数のシリアルクロック線と、
前記各シリアルクロック線に対応し、各クロック信号に同期したデータ信号を転送する複数のデータ信号線と、
転送された各データ信号をラッチして直並列変換し、変換によって得られた並列信号を用いて各データ信号に対応する負荷を駆動する駆動回路と、
所定のタイミングでデータ信号をラッチさせるためのラッチ信号を発生するラッチ信号発生回路とを備え、
各スペクトラム拡散クロックジェネレータが、そのクロックによる電磁輻射パワーが互いに重畳されて特定の周波数帯域にピークを生じないように決定された互いに異なる基本周波数のクロックを出力することを特徴とする負荷駆動装置。
【請求項２】
各スペクトラム拡散クロックジェネレータが、そのクロック信号間の基本周波数の差分が互いに異なるように決定された基本周波数のクロックを出力する請求項１記載の負荷駆動装置。
【請求項３】
各スペクトラム拡散クロックジェネレータが、そのクロックによる電磁輻射パワーが互いに重畳されて特定の周波数帯域にピークを生じないように決定された互いに異なる変調周波数のクロックを出力する請求項１記載の負荷駆動装置。
【請求項４】
各スペクトラム拡散クロックジェネレータが、そのクロック信号間の変調周波数の差分が互いに異なるように決定された変調周波数のクロックを出力する請求項３記載の負荷駆動装置。
【請求項５】
ラッチ信号発生回路は、データ転送の開始から終了までに最も長い時間を要するクロック信号がデータ転送を終了した後にラッチ信号を発生する請求項１〜４のいずれかひとつに記載の負荷駆動装置。
【請求項６】
負荷がＬＥＤ表示器であり、負荷駆動部が請求項１〜５のいずれかひとつに記載の負荷駆動装置からなるＬＥＤ表示装置。
【発明の詳細な説明】
【技術分野】
【０００１】
この発明は、負荷駆動装置およびそれを備えてなるＬＥＤ表示装置に関し、より詳細には、複数のスペクトラム拡散クロックジェネレータを用いて発生させたシリアルクロック信号に同期したデータ信号を直並列変換して各負荷を駆動する負荷駆動装置及びそれを備えてなるＬＥＤ表示装置に関する。
【背景技術】
【０００２】
多数の負荷を少ない信号配線で駆動するために、シリアルクロックに駆動用のデータ信号を同期させて転送し、直並列変換して各負荷を駆動する負荷駆動装置、いわゆるシリアルラッチ方式の駆動装置が知られている。この負荷駆動回路を備えた装置の例として、ＬＥＤ表示装置などがある。ＬＥＤ表示装置は、高解像度化、高階調化によりデータ量の増加に伴い転送クロックの高速化がすすみ、制御基板から表示ユニットへ接続する信号ハーネスや複数の表示ユニット間を直列に接続する信号ハーネスが大型化の為に長くなりアンテナとなって電磁輻射（ＥＭＩ）ノイズを放出してしまうため、電磁輻射ノイズの低減が求められている。つまり、ＬＥＤ表示装置にＥＭＩ対策を施すことが求められている。電磁輻射ノイズを低減する手法の一つとして、スペクトラム拡散クロックジェネレータ（あるいはＳＳＣＧ、Ｓｐｒｅａｄ  Ｓｐｅｃｔｒｕｍ  Ｃｌｏｃｋ  Ｇｅｎｅｒａｔｏｒともいう）が知られている。これは、クロック周波数変調回路は、クロック発振周波数に狭帯域の変調をかけて、特定周波数の輻射強度を低減する技術を採用した回路である。この回路を用いれば、電磁輻射ノイズの発生源であるクロック発振器のレベルで、電磁輻射ノイズを低減することができる。従って、信号がなまり、余計なコストが発生しがちなフィルタ、チョークコイル、フェライトビーズ等及びハーネスのシールドでのＥＭＩ対策に代わって、あるいはそれらの対策と共に広く採用されている。
【発明の開示】
【発明が解決しようとする課題】
【０００３】
状態の変わる多数の負荷を駆動する負荷駆動装置、例えば、複数のＬＥＤランプをマトリクス状に配置したＬＥＤ表示装置では、駆動用のデータ信号、即ち表示信号を頻繁に更新するためにクロックの周波数はＭＨｚ帯域以上になり、クロックからの電磁輻射ノイズ低減は大きな課題である。
【０００４】
例えば一つの表示ユニットが１６×１６個のマトリックス状のＬＥＤで構成され、その表示ユニットがさらに１６×１６のマトリックス状に配置され、全体で２５６×２５６画素のＬＥＤから構成されるＬＥＤ表示装置について考える。この表示装置で動画を表示しようとすれば、１秒間に３０回くらいの書き換え頻度が必要であり、さらに時分割で各画素の２５６階調表示を行うには、上記頻度の２５６倍の書き換え頻度が必要である。前記の書き換え頻度で一つの表示ユニットをダイナミック駆動するには、一周期内に１６×１６個のＬＥＤを書き換える必要があり、さらに１６×１６のマトリックス状に配置された前記表示ユニットをすべてダイナミック駆動するには、一周期内に１６×１６×１６×１６個を書き換えなければならない。即ち、表示のために一秒間に転送すべきデータ信号数は３０×２５６×１６×１６×１６×１６になり、無駄時間を見込まなくても、その周波数は約５００ＭＨｚになる。これでは、データ信号の転送クロック（ＣＬＫ）周波数が高くなりすぎて、不要輻射の発生原因となってしまう。その対策として、周波数を上記ディスプレイ装置の全画素に信号を直列的に送るのではなく、複数のユニットグループに分けてデータを並列に転送する手法がとられる。例えば、表示ユニットを１列に１６個並べ、これを１６列に並列配置し、各列に対応したデータ信号とクロック信号を並列に転送する。このようにすれば、データ転送のクロック周波数は３０ＭＨｚ程度まで低減できる。
【０００５】
しかし、この帯域の周波数でデータ転送を行うと表示ユニット間を接続する信号ハーネスがアンテナとなって電磁ノイズを出すことが知られている。上記のように複数の列（ユニットグループ）に同一のクロック周波数（基本周波数ｆ０，変調度ｍ）でデータ転送を行うと、同じ周波数で１６個のアンテナから雑音が放出されることになり、１列にして信号を送る場合に比べて同一箇所から１６倍（＋２４ｄＢ）の強度の不要輻射を発生させてしまう結果になり、ＥＭＩ対策上好ましくない。前述のＳＳＣＧを用いてＥＭＩ対策を行っても、複数列の信号ハーネスを束ねたことによってＥＭＩ対策の効果を相殺してしまいかねない。特に、信号の電力が大きいディスプレイでは電磁ノイズが大きく、また屋外で使用される大型のディスプレイではシールドすることが大変であるため、複数列のクロック信号を並列駆動する場合にも、ハーネスからの電磁輻射を増幅させることのない手法が望まれている。
【課題を解決するための手段】
【０００６】
この発明は、互いに異なる基本周波数を有する複数のスペクトラム拡散クロックジェネレータと、各スペクトラム拡散ジェネレータから出力されたクロック信号をそれぞれ転送する複数のシリアルクロック線と、前記各シリアルクロック線に対応し、各クロック信号に同期したデータ信号を転送する複数のデータ信号線と、転送された各データ信号をラッチして直並列変換し、変換によって得られた並列信号を用いて各信号に対応する負荷を駆動する駆動回路と、所定のタイミングでデータ信号をラッチさせるためのラッチ信号を提供するラッチ信号発生回路とを備え、各スペクトラム拡散クロックジェネレータが、そのクロックによる電磁輻射パワーが互いに重畳されて特定の周波数帯域にピークを生じないように決定された互いに異なる基本周波数のクロックを出力することを特徴とする負荷駆動装置を提供する。
【発明の効果】
【０００７】
この発明の負荷駆動装置は、各スペクトラム拡散クロックジェネレータが、そのクロックによる電磁輻射パワーが互いに重畳されて特定の周波数帯域にピークを生じないように決定された互いに異なる基本周波数のクロックを出力するので、複数のクロック信号を並列駆動する場合にも、ハーネスからの電磁輻射が重畳されて増幅されることがない。従って、電磁輻射ノイズが低減された負荷駆動装置を得ることができる。
【発明を実施するための最良の形態】
【０００８】
この発明の負荷駆動装置は、互いに異なる基本周波数を有する複数のスペクトラム拡散クロックジェネレータと、各スペクトラム拡散ジェネレータから出力されたクロック信号をそれぞれ転送する複数のシリアルクロック線と、前記各シリアルクロック線に対応し、各クロック信号に同期したデータ信号を転送する複数のデータ信号線と、転送された各データ信号をラッチして直並列変換し、変換によって得られた並列信号を用いて各信号に対応する負荷を駆動する駆動回路と、所定のタイミングでデータ信号をラッチさせるためのラッチ信号を提供するラッチ信号発生回路とを備え、各スペクトラム拡散クロックジェネレータが、そのクロックによる電磁輻射パワーが互いに重畳されて特定の周波数帯域にピークを生じないように決定された互いに異なる基本周波数のクロックを出力することを特徴とする。
【０００９】
ここで、スペクトラム拡散クロックジェネレータは、前述したようにクロック信号の電磁輻射ノイズを低減するための公知の技術であるが、この発明は、複数のスペクトラム拡散クロックジェネレータを用いる場合に、互いのクロックによる電磁輻射ノイズが重畳されることによって前記技術によって得られたノイズ低減効果が相殺されることのないようにするものである。
【００１０】
スペクトラム拡散クロックジェネレータは、好ましくは単一の半導体チップに集積された回路で実現される。駆動回路が駆動する負荷は、例えばＬＥＤであってもよいが、それに限定されず、ソレノイドなどの機械的なアクチュエータであってもよく、あるいは信号を送出するためのバッファ回路などの回路素子であってもよい。
【００１１】
この発明の負荷駆動装置は、装置内の負荷を駆動するためのものであってもよいが、それに限定されず、互いに離れた場所に設置された複数の装置の一方に拡散クロックジェネレータとラッチ信号発生回路が配置され、他方の装置に負荷と駆動回路が配置され、それらの装置間をシリアルクロック線、データ信号線、前記ラッチ信号を伝送する線で接続するものであってもよい。
【００１２】
また、各スペクトラム拡散クロックジェネレータが、そのクロックによる電磁輻射パワーが互いに重畳されて特定の周波数帯域にピークを生じないように決定された互いに異なる変調周波数のクロックを出力するようにしてもよい。このようにすれば、クロックの基本周波数だけでなく変調周波数も互いに異なるので、互いのクロックの相関がさらに低くなり、より電磁輻射ノイズが低減された負荷駆動装置が得られる。
【００１３】
さらにまた、ラッチ信号発生回路は、データ転送の開始から終了までに最も長い時間を要するクロック信号がデータ転送を終了した後にラッチ信号を発生するようにしてもよい。このようにすれば、各クロック信号で基本周波数あるいは変調周波数が異なるためにデータ転送に要する時間が異なっても、全てのデータが転送された後にラッチ信号が発生するので、転送されたデータ信号に応じて確実に負荷を駆動することができる。
【００１４】
また、この発明は、負荷がＬＥＤ表示器であり、負荷駆動部前述した負荷駆動装置からなるＬＥＤ表示装置を提供する。この発明のＬＥＤ表示装置は、前記負荷駆動装置によってＬＥＤ表示器を駆動するので、ハーネスからの電磁輻射が重畳されて増幅されることがなく、電磁輻射ノイズが低減されたＬＥＤ表示装置を得ることができる。
【００１５】
以下に、図面を用いてこの発明をさらに詳述する。
スペクトラム拡散クロックジェネレータは、電磁輻射ノイズの発生源であるクロック発振回路にクロック周波数変調回路を用いて周波数を±数％の割合で一定の周期で変化させるものである。図１は３０ＭＨｚのクロック周波数を基本周波数とし、周波数変調の周期をｔ１、変調度、即ち基本周波数から変調周波数のピークまでの差分の基本周波数に対する比率が±１．５％の変調をかけた場合のクロック信号の変調の割合と時間との関係を示す図である。図１に示すように周波数変調回路はａ点においては、３０．４５ＭＨｚのクロック周波数でクロック信号を生成し、ｂ点においては３０ＭＨｚのクロック周波数のクロック信号を生成し、ｃ点では、２９．５５ＭＨｚのクロック周波数のクロック信号を生成して出力する。これによって、電磁輻射ノイズの周波数のピークを分散させることができる。図６は、前記の基本周波数３０ＭＨｚを周波数変調せずにクロック転送した場合に発生する電磁輻射ノイズの周波数スペクトラム特性の一例を示すグラフである。図７は、このクロックを図１に示す条件で周波数変調したクロック波形に対応する電磁輻射ノイズの周波数スペクトラム特性の一例を示すグラフである。図６と図７の縦軸は、いずれもノイズの強さを示し、互いに同じ縦軸上の位置は同じノイズの強さを示す。図６と図７の比較から、クロック信号に周波数変調をかけることにより、電磁輻射ノイズの周波数帯が分散され、ピーク値が低減されることがわかる。
【００１６】
さらに、周波数変調の周期が、一定周期のものよりも、複数の周期で周波数変調をかけたものの方が電磁波ノイズのピーク値が低減できる。図２は、図１と同じ基本周波数、変調度のクロックを２つの変調周期ｔ１とｔ２とで交互に変調する場合のクロック信号の変調の割合と時間との関係を示す図である。図８は、図２のように複合周期で周波数変調した場合の電磁輻射ノイズの周波数スペクトラム特性を示すグラフである。図７と図８の縦軸は、いずれもノイズの強さを示し、互いに同じ縦軸上の位置は同じノイズの強さを示す。図７と図８の比較から、複合周期で周波数変調をかけることにより、電磁輻射ノイズのピークの領域が平坦化され、凹凸がなくなった分だけさらにピーク値が低減されることがわかる。
【００１７】
次に、この発明をシリアルラッチ方式の負荷駆動装置の一実施形態であるドットマトリックスＬＥＤ表示装置に適用した場合の、具体的構成と動作について説明する。図４は、一つのＬＥＤ表示ユニットがＲｅｄおよびＧｒｅｅｎのＬＥＤを１６×１６のマトリックス状に配置し、このＬＥＤ表示ユニットを３つ直列に接続したＬＥＤ表示装置の内部構成を示すブロック図である。制御ボード１内のクロック信号発生回路３で発振したクロックがＳＳＣＧ  ４で周波数変調され、表示データのパラレルデータをシリアルデータへ変換する為の同期信号として使われるとともに、ＬＥＤ表示ユニットのシリアルラッチドライバ８Ｒ，８Ｇへのデータ信号取り込み用のクロック信号として出力される。そして、シリアルクロック線６によりＬＥＤ表示ユニット７へ入力されたクロック信号はバッファ９を通して次ユニットのクロック信号として出力される。このようにして、ＬＥＤ表示ユニット７、１1、１５がカスケード接続されて、クロック信号が送られる。また、このクロック信号に同期してＲｅｄデータ信号を転送するＲデータ信号線１９とＧｒｅｅｎデータ信号を転送するＧデータ信号線２０が各ＬＥＤ表示ユニット７，１１，１５に接続されている。これがシリアルラッチ方式のＬＥＤ表示装置の基本的な構成である。
【００１８】
図９は、図１のＬＥＤ表示ユニット７，１１，１５のさらに詳細な構成を示すブロック図である。図１のシリアルラッチドライバ８Ｒは、より詳細にはＲデータ信号のシフトレジスタ５５とドライバ５４とで構成される。また、シリアルラッチドライバ８Ｇは、Ｇデータ信号のシフトレジスタ５２とドライバ５３とで構成される。ＬＥＤマトリックス５８は、ＲｅｄとＧｒｅｅｎのＬＥＤがそれぞれ１６×１６のマトリックス上に配置されたものである。これらのＬＥＤは、行と列のそれぞれの配線を駆動するためのＧ行ドライバ５３、Ｒ行ドライバ５４、列ドライバ５１によってダイナミック駆動される。デコーダ５０は、ＬＥＤ表示ユニットの１６の列のうちの任意の列をアドレス信号Ａ０〜Ａ３の状態の組合せによって選択し、選択された列のＬＥＤを列ドライバ５１で駆動する。即ち、選択された列のＬＥＤが、各行データの状態に応じてオン／オフし、非選択の他の列のＬＥＤはすべてオフの状態になる。選択された列のＬＥＤが駆動されているときの行データについては、Ｇデータ信号がＧシフトレジスタ５２にラッチされ、ラッチされた出力の状態に応じてＧ行ドライバ５３がＧｒｅｅｎＬＥＤをオン／オフし、Ｒデータ信号がＲシフトレジスタ５５にラッチされ、ラッチされた出力の状態に応じてＲ行ドライバ５４がＲｅｄＬＥＤをオン／オフする。アドレス信号Ａ０〜Ａ３の状態を所定の周期で順次かえて選択列が循環的に変化するように駆動し、列の選択に応じて行データを更新することにより、１６行×１６列のマトリックス状に接続されたＬＥＤのオン／オフを任意に行うことができる。
【００１９】
図４は、全てのＬＥＤ表示ユニットを１本のデータ信号線にカスケード接続したものであるが、表示画素が多い場合はクロック周波数を低減するために複数のユニットグループに分けてデータを並列に転送する手法がとられる。図５は複数のユニットグループを持つＬＥＤ表示装置においてそれぞれ違った周波数変調を行ったクロック信号を各ユニットグループへ供給するＬＥＤ表示装置の構成を示すブロック図である。図５において、クロック信号発生回路４０，４１，４２は、図４に示すクロック発生回路３と同じ回路構成であるが、互いに任意の基本周波数のクロックをそれぞれの回路に接続されたＳＳＣＧ１  ３３、ＳＳＣＧ２  ３４、ＳＳＣＧ３  ３５へ出力できるように構成されている。また、ＳＳＣＧ１  ３３、ＳＳＣＧ２  ３４、ＳＳＣＧ３  ３５は、それぞれが図４に示すＳＳＣＧ４と同じ回路構成であるが、互いに独立した変調度、変調周期でクロック信号を周波数変調を行うように構成されている。ＳＳＣＧ１からのシリアルクロック信号ＣＬＫ１で駆動されるユニットグループ１の各ＬＥＤ表示ユニット２４，２５，２６、ＳＳＣＧ２からのシリアルクロック信号で駆動されるユニットグループ２の各ＬＥＤ表示ユニット２７，２８，２９、ＳＳＣＧ３からのシリアルクロック信号で駆動されるユニットグループ３の各ＬＥＤ表示ユニット３０，３１，３２はいずれも図９に示すＬＥＤ表示ユニットである。
【００２０】
データ生成回路１は、ユニットグループ１のＲデータ信号ＲＤＡＴＡ１とＧデータ信号ＧＤＡＴＡ１を発生し、ＬＥＤ表示２４，２５，２６へ転送する。また、データ生成回路２は、ユニットグループ２のＲデータ信号ＲＤＡＴＡ２とＧデータ信号ＧＤＡＴＡ２を発生し、ＬＥＤ表示２７，２８，２９へ転送する。そして、データ生成回路３は、ユニットグループ３のＲデータ信号ＲＤＡＴＡ３とＧデータ信号ＧＤＡＴＡ３を発生し、ＬＥＤ表示３０，３１，３２へ転送する。
【００２１】
また、図５に示すラッチ信号発生回路３６は、各ＬＥＤ表示ユニットのシフトレジスタをラッチするためのラッチ信号を発生する回路であり、ラッチ信号は全てのユニットグループで共通である。
各ユニットグループへは、互いに異なる基本周波数(ｆiただし、i=1,2,3）に前述のＳＳＣＧ技術を用いて周波数変調されたクロックが出力され、このクロックを用いてデータ転送を行う。
【００２２】
即ち、クロック信号発生器４０からは、周波数ｆ1のクロックが出力されてＳＳＣＧ１  ３３へ供給され、ＳＳＣＧ１  ３３で周波数変調されたクロック信号ＣＬＫ１が直列接続されたＬＥＤ表示ユニット２４，２５，２６へ出力される。また、クロック信号発生器４１からは、周波数ｆ2のクロックが出力されてＳＳＣＧ２  ３４へ供給され、ＳＳＣＧ２  ３４で周波数変調されたクロック信号ＣＬＫ２が直列接続されたＬＥＤ表示ユニット２７，２８，２９へ出力される。そしてまた、クロック信号発生器４２からは、周波数ｆ3のクロックが出力されてＳＳＣＧ３  ３５へ供給され、ＳＳＣＧ３  ３５で周波数変調されたクロック信号ＣＬＫ３が直列接続されたＬＥＤ表示ユニット３０，３１，３２へ出力される。前述のように、クロック信号発生器４０，４１，４２がそれぞれ出力するクロック信号の周波数が互いに異なるようにし、これによって、各クロックの電磁輻射パワーが互いに重畳されて特定の周波数帯域にピークを生じないように考慮している。
【００２３】
前述のように、各ユニットグループでクロックの基本周波数fiを異なる値に設定するが、互いのユニットグループ間での基本周波数の差分δf=fi-fi+1を等しく設定するのではなく、互いに差分の値も異なるように設定してもよい。このようにすれば、互いの相関がより低減されたシリアルクロック信号で各ユニットグループを駆動することになり、電磁輻射のピーク周波数がより分散されて、より大きなEMI低減効果が得られることが期待される。
【００２４】
さらに、各ユニットグループの基本周波数のクロックを所定の割合で変化させる周期dTｍi、換言すれば、変調周波数ｆｍi（ここで、ｆｍiはdTｍiと逆数の関係にある。i=1,2,3）を各ユニットグループで互いに異なるように選択し、各クロックの電磁輻射パワーが互いに重畳されて特定の周波数帯域にピークを生じないように考慮してもよい。すなわち、ＳＳＣＧ１  ３３の変調周波数をｆｍ1、ＳＳＣＧ２  ３４の変調周波数をｆｍ2、ＳＳＣＧ３  ３５の変調周波数をｆｍ3として互いに異なる変調周波数を選択し、各クロックの電磁輻射パワーが互いに重畳されて特定の周波数帯域にピークを生じないように考慮してもよい。ここで、１つのクロック信号に対して複数の変調周波数を用いたクロック変調を行うＳＳＣＧでは、その全ての変調周波数について各クロック信号で変調周波数がことなるようにすることが好ましい。
【００２５】
さらに、前述のように各ユニットグループでクロックの変調周波数ｆｍiを異なる値に設定した場合において、互いのユニットグループ間の変調周波数の差分δｆｍi=ｆｍi-ｆｍi+1が互いに異なるように設定してもよい。このようにすれば、互いの相関をさらに低減したシリアルクロック信号で各ユニットグループを駆動することにより、電磁輻射のピーク周波数を分散し、さらに大きなEMI低減効果が得られることが期待される。
【００２６】
図３は、互いに基本周波数と変調周波数の異なるクロック信号を各ユニットグループに用いた場合の、各クロック信号に対する周波数変動の様子を示すグラフである。図３に示すように、ユニットグループ１のクロック信号の基本周波数は３０．０ＭＨｚ、ユニットグループ２のクロック信号の基本周波数は３０．３ＭＨｚ、ユニットグループ３のクロック信号の基本周波数は２９．９ＭＨｚであり、互いにその基本周波数が異なる。また、図３に示すように、各クロック信号は、複合された変調周期あるいは変調周波数を有している。ユニットグループ１の変調周期はｔ１とｔ２、ユニットグループ２の変調周期はｔ３とｔ４、ユニットグループ３の変調周期はｔ５とｔ６であり、変調周期が互いに異なる。
【００２７】
図３に示すような、各ユニットグループで基本周波数の異なるクロック信号を用いた場合、またクロックの周期ごとにクロック周波数が異なるため、それぞれのデータ転送時間が異なる。このため、各ユニットグループの１フレームのデータ転送終了毎にラッチ信号を発生させようとしても、共通のタイミングがなく表示を乱してしまう。
【００２８】
そこで、すべてのユニットグループのデータ転送が終了した時点でラッチ信号を発生するようにし、画面切り換えタイミングを全てのユニットグループで同時に行うようにすれば表示が乱れるのを防ぐことができる。このために、各ユニットグループの中心周波数と変調周波数から決まる時間を予め求めておき、ラッチ信号発生回路３６は、データ転送開始から、前記時間だけ遅延させた後にラッチ信号を発生するように構成する。図３に、前述のようなタイミングで発生されたラッチ信号を示している。
【００２９】
このようにすれば、ユニットグループ毎に独立したクロック信号を使用しても、共通のラッチ信号を用いることができ、全てのユニットグループで同時に表示データが取り込まれるので表示の乱れ等の不具合が発生しない。
【図面の簡単な説明】
【００３０】
【図１】ＳＳＣＧを用い、３０ＭＨｚのクロック周波数を基本周波数として、変調度、即ち基本周波数から変調周波数のピークまでの差分の基本周波数に対する比率が±１．５％の変調をかけた場合のクロック信号の変調の割合と時間との関係を示す図である。
【図２】図１と同じ基本周波数、変調度のクロックを２つの変調周期で変調する場合のクロック信号の変調の割合と時間との関係を示す図である。
【図３】この発明のＬＥＤ表示装置で複数のユニットグループのクロック信号の時間に対する周波数変動の様子を示すグラフである。
【図４】一つのＬＥＤ表示ユニットがＲｅｄおよびＧｒｅｅｎのＬＥＤを１６×１６のマトリックス状に配置し、このＬＥＤ表示ユニットを３つ直列に接続したＬＥＤ表示装置の内部構成を示すブロック図である。
【図５】複数のユニットグループを持つＬＥＤ表示装置においてそれぞれ違った周波数変調を行ったクロック信号を各ユニットグループへ供給するＬＥＤ表示装置の構成を示すブロック図である。
【図６】基本周波数３０ＭＨｚを周波数変調せずにクロック転送した場合に発生する電磁輻射ノイズの周波数スペクトラム特性を示すグラフである。
【図７】図１に示すように周波数変調した負荷駆動装置の電磁輻射ノイズの周波数スペクトラム特性の一例を示すグラフである。
【図８】図２に示すように複合周期で周波数変調した場合の電磁輻射ノイズの周波数スペクトラム特性の一例を示すグラフである。
【図９】ＬＥＤ表示ユニットの詳細な構成を示すブロック図である。
【符号の説明】
【００３１】
１  制御ボード
２  表示データ生成部
３、４０〜４２  クロック信号発生回路
４、３３，３４，３５  ＳＳＣＧ、Ｓｐｒｅａｄ  Ｓｐｅｃｔｒｕｍ  Ｃｌｏｃｋ  Ｇｅｎｅｒａｔｏｒ、スペクトラム拡散クロックジェネレータ
５  Ｐ／Ｓ（並列／直列）変換
６，１０，１４  シリアルクロック線
７，１１，１５，２４〜３２  ＬＥＤ表示ユニット
８Ｒ，８Ｇ  シリアルラッチドライバ
９  バッファ
１８、３６  ラッチ信号発生回路
１９  Ｒデータ信号線
２０  Ｇデータ信号線
５０  デコーダ
５１  列ドライバ
５２  Ｇシフトレジスタ
５３  Ｇ行ドライバ
５４  Ｒ行ドライバ
５５  Ｒシフトレジスタ
５６  モノステイ・マルチバイブレータ
５７  発振器
【図１】
2006106331.tif 000003
【図２】
2006106331.tif 000004
【図３】
2006106331.tif 000005
【図４】
2006106331.tif 000006
【図５】
2006106331.tif 000007
【図６】
2006106331.tif 000008
【図７】
2006106331.tif 000009
【図８】
2006106331.tif 000010
【図９】
2006106331.tif 000011